(57)【要約】【課題】給水ホースワンタッチ接続機構の鍔部材を給水口部に取り付けるにあたってその取り付け作業を簡便に行える給水ホースワンタッチ接続機構の鍔部材の取付構造を提供すること。【解決手段】給水ホース２０先端の継手２２に設けられた安全レバー２６の爪３２が係止されると共に、単水栓１の円筒状の給水口部４０に挿通されて取り付けられて、給水ホース２０と単水栓１を接続する給水ホースワンタッチ接続機構の鍔部材５０の取付構造１０において、給水口部４０外周面に、鍔部材５０が当接して位置決めされる当接部４６とプッシュナット６４の係止爪６８が係止される係止部４５とを設け、当接部４６に当接して位置決めされた鍔部材５０と係止部４５との間にプッシュナット６４が嵌合されることにより、鍔部材５０が給水口部４０に取り付けられるようにした。【選択図】    図２
2004300830.tif 000002
【特許請求の範囲】
【請求項１】
給水ホース先端の継手に設けられた安全レバーの爪が係止されると共に、水栓の円筒状の給水口部に挿通されて取り付けられて、前記給水ホースと前記水栓を接続する給水ホースワンタッチ接続機構の鍔部材の取付構造であって、
給水口部外周面に、前記鍔部材が当接して位置決めされる当接部とプッシュナットの係止爪が係止される係止部とが設けられ、
前記当接部に当接して位置決めされた鍔部材と前記係止部との間に前記プッシュナットが嵌合されることにより、前記鍔部材が前記給水口部に取り付けられる給水ホースワンタッチ接続機構の鍔部材の取付構造。
【請求項２】
前記鍔部材の外周部は、その給水口部先端側は鈍角に形成またはＲ面取り加工された案内部が設けられると共に、その給水口部奥端側は角度９０度以下の角部が形成されることを特徴とする請求項１に記載の給水ホースワンタッチ接続機構の鍔部材の取付構造。
【請求項３】
前記鍔部材には、
前記鍔部材が給水口部に正規の向きで取り付けられた際における鍔部材の当接部側に、前記当接部に干渉しなく、かつ前記プッシュナットには干渉する突設部、
または、前記鍔部材が給水口部に正規の向きで取り付けられた際における鍔部材のプッシュナット側に、プッシュナットに干渉しなく、かつ前記当接部には干渉する突設部、
のいずれかが設けられたことを特徴とする請求項２に記載の給水ホースワンタッチ接続機構の鍔部材の取付構造。
【請求項４】
前記鍔部材にはプッシュナットを収容する凹部が形成されると共に、
前記鍔部材が給水口部に正規の向きで取り付けられた際における鍔部材の当接部側に、前記当接部に干渉しなく、かつ前記プッシュナットには干渉する突設部、
または、前記鍔部材が給水口部に正規の向きで取り付けられた際における鍔部材のプッシュナット側に、プッシュナットに干渉しなく、かつ前記当接部には干渉する突接部、
のいずれかが設けられたことを特徴とする請求項１に記載の給水ホースワンタッチ接続機構の鍔部材の取付構造。
【発明の詳細な説明】
【０００１】
【発明の属する技術分野】
本発明は、水栓に給水ホースを接続するための給水ホースワンタッチ接続構造の鍔部材の取付構造に関する。
【０００２】
【従来の技術】
従来、水栓に給水ホースを接続するための給水ホースワンタッチ接続構造には、図１０に示すように、給水ホース２０側に安全レバー２６を設け、水栓１側に鍔部材７０を設け、給水ホース２０の水栓１への接続状態において安全レバー２６が鍔部材７０に係止されるように設けられたものが知られている。これを詳しく説明すると、給水ホース２０側には先端に円筒状の継手２２が取り付けられており、継手２２外周面には安全レバー２６が一体的に形成されている。この安全レバー２６は、継手２２の本体２３外周面から立設される基体部２８と、基体部２８先端から継手２２先端方向斜め内側に傾斜して連設される係止片３０と、係止片３０の先端にかぎ状に内側に突設される爪３２を備えている。基体部２８は、継手２２先端方向を中心とした湾曲状に形成されると共に、継手２２軸心方向に沿って僅かに弾性変形可能に設けられている。また、継手２２の先端側内周面には、後述する水栓１の給水口部７１外周面に形成されたロック溝４２にはまり込むロックボール２５が取り付けられている。
【０００３】
一方、水栓１の水栓本体７２の接続口に、若干湾曲された円筒形状の給水口部７１が袋ナット７４により回動自在に接続されている。給水口部７１の先端寄りには、鍔部材７０が、この鍔部材７０よりも給水口部７１の奥端側の当接部７５に当接された状態で、鍔部材７０よりも先端側にはめ込まれた割りリング７６により、給水口部７１に抜け止めされている。給水口部７１の当接部７５より先端側には、環状溝７７が形成されており、この環状溝７７に割りリング７６がはめ込まれて鍔部材７０が抜けないように設けられている。また、環状溝７７よりも先端寄りの給水口部７１外周面には、上記したロックボール２５がはまり込むロック溝４２が周設されている。
【０００４】
このような、継手２２開口部２４内に給水口部７１の先端を挿嵌接続すると、継手２２内のロックボール２５が給水口部７１のロック溝４２にはまり込むと同時に、安全レバー２６の爪３２が鍔部材７０の外周部７８に当接し、さらに基体部２８が撓みながら爪３２が外周部７８を乗り越えて外周部７８奥端側に係止されて、継手２２と給水口部７１とが接続固定される。このようにして、水栓１と給水ホース２０とを迅速・簡易に接続できるように構成されている（特許文献１参照。）
【０００５】
【特許文献１】
特開２００２−１２１７８２号（図４）
【０００６】
【発明が解決しようとする課題】
しかしながら、上記した従来の給水ホースワンタッチ接続機構の鍔部材７０の取付構造８０では、以下のような問題が生じていた。割りリング７６は給水口部７１の環状溝７７にはめ込まれて鍔部材７０を係止するのであるが、上記したように、鍔部材７０は給水口部７１奥端側が当接部７５に当接された状態で給水口部７１先端側からは割りリング７６に規制されて給水口部７１に安定的に係止される。よって、割りリング７６の装着にあたっては、鍔部材７０を当接部７５の方向へ押し付けながら給水口部７１に割りリング７６を取り付ける必要があり、さらに、割りリング７６の厚みに合わせて細く形成された環状溝７７を狙って割りリング７６を装着する必要もあった。よって、割りリング７６を給水口部７１に取り付ける作業は正確性を要する困難な作業となっており、給水口部７１に鍔部材７０を取り付ける作業の作業性が悪化する原因となっていた。
【０００７】
本発明は、上記した従来の給水ホースワンタッチ接続機構の鍔部材の取付構造の問題点を解消するものであり、鍔部材を給水口部に取り付けるにあたってその取り付け作業を簡便に行える給水ホースワンタッチ接続機構の鍔部材の取付構造を提供することを目的とする。
【０００８】
【課題を解決するための手段】
以上の課題を解決するために、本発明の採った手段を以下に説明する。本発明は、給水ホース先端の継手に設けられた安全レバーの爪が係止されると共に、水栓の円筒状の給水口部に挿通されて取り付けられて、前記給水ホースと前記水栓を接続する給水ホースワンタッチ接続機構の鍔部材の取付構造であって、
給水口部外周面に、前記鍔部材が当接して位置決めされる当接部とプッシュナットの係止爪が係止される係止部とが設けられ、
前記当接部に当接して位置決めされた鍔部材と前記係止部との間に前記プッシュナットが嵌合されることにより、前記鍔部材が前記給水口部に取り付けられる給水ホースワンタッチ接続機構の鍔部材の取付構造である（請求項１）。
【０００９】
本発明では、上記のように構成することにより、給水口部にプッシュナットを装着するだけで、鍔部材の給水口部への取付を極めて簡便に行うことができる。これを具体的に説明すると、給水口部に挿通される鍔部材を当接部に当接するまで押し込む。さらに、プッシュナットを給水口部に挿通し鍔部材に当接するまで押し込む。給水口部にはプッシュナットの係止爪が係止される係止部が設けられており、この係止部と鍔部材との間にプッシュナットが嵌合されることにより鍔部材を給水口部に取り付けて固定することができる。鍔部材の取り付け固定に際しては、プッシュナットを給水口部に挿通して、鍔部材との間で嵌合するように所定の位置に設けられた係止部まで移動させるだけの作業で足り、従来のように溝に合わせて割りリングを装着するなどの正確性を必要とされる作業は不要となる。
【００１０】
「当接部」は、挿通される鍔部材が規制される部位であれば特に形状は限定されず、例えば、給水口部外周面に周設されたフランジ部や段部、給水口部の周方向に沿って複数個突設された突起など種々のものを例示することができるが、突起などを複数個設ける場合には、鍔部材を安定的に位置決めするために給水口部の外周面の周方向に沿って均等に配設することが望ましい。また、「係止部」もプッシュナットの係止爪が係止される部位であれば限定されず、凹部、段部、フランジ部、突起など種々のものを例示できる。また本発明においては、「プッシュナット」にはいわゆるプッシュナットのほかＣＳ形止め輪なども含む。
【００１１】
前記鍔部材の外周部は、その給水口部先端側は鈍角に形成またはＲ面取り加工された案内部が設けられると共に、その給水口部奥端側は角度９０度以下の角部が形成されるものとすることができる（請求項２）。
【００１２】
給水ホースの安全レバーの爪が係止される鍔部材の外周部を上記のように構成することにより、安全レバーの爪が鍔部材に確実に係止されると共に、給水ホースを水栓に接続する際には安全レバーの爪が案内傾斜部によって鍔部材の外周部を乗り越え易くすることができる。
【００１３】
また、上記した請求項２の取付構造において、前記鍔部材には、
前記鍔部材が給水口部に正規の向きで取り付けられた際における鍔部材の当接部側に、前記当接部に干渉しなく、かつ前記プッシュナットには干渉する突設部、
または、前記鍔部材が給水口部に正規の向きで取り付けられた際における鍔部材のプッシュナット側に、プッシュナットに干渉しなく、かつ前記当接部には干渉する突設部のいずれかが設けられたものとすることができる（請求項３）。
【００１４】
このように構成することにより、鍔部材の取り付け向きを間違えて裏表逆に給水口部に挿通してしまったときには、突設部が干渉して鍔部材と係止部との間にプッシュナットが嵌合されないようにすることができる。よって、鍔部材の取り付けに際して、取り付け向きを間違えたまま鍔部材を給水口部に取り付けてしまうことがなく、案内部が一方側にのみ設けられた鍔部材の取り付け作業を正確に行えるようにすることができる。上記のような突設部としては、例えば、円提状に突設部を形成した場合に、その内径が当接部の外径よりも大きく、一方、プッシュナットの外周部とほぼ同一の径に設けてプッシュナットの外周部と干渉する大きさに設けるようなものを例示できる。また、プッシュナットの外周部とほぼ同一の径に突設部を設けてプッシュナットには干渉するように設けると共に、当接部の内側に突設部が収容可能な周溝を設け、正規の向きに鍔部材が取り付けられた際には、この周溝に突設部が収容されて突設部は当接部には干渉しないように設けるなどとしてもよい。
【００１５】
また、請求項１の取付構造において、前記鍔部材にはプッシュナットを収容する凹部が形成されると共に、
前記鍔部材が給水口部に正規の向きで取り付けられた際における鍔部材の当接部側に、前記当接部に干渉しなく、かつ前記プッシュナットには干渉する突設部、
または、前記鍔部材が給水口部に正規の向きで取り付けられた際における鍔部材のプッシュナット側に、プッシュナットには干渉しなく、かつ前記当接部には干渉する突接部のいずれかが設けられたものとすることができる（請求項４）。
【００１６】
鍔部材はプッシュナットにより係止されるが、給水口部先端側から給水ホースの継手が接続される際に継手先端の開口部がこのプッシュナットに干渉するおそれの無いように、プッシュナットを収容できる凹部を鍔部材に設けることが必要となる場合がある。このような鍔部材においては、鍔部材の取り付け方向の相違によって鍔部材外周部の給水口部軸心方向における位置が大きく異なってしまい、安全レバーが係止できなくなるおそれがある。よって、上記のように突設部を設けることにより、取り付け向きを間違えたまま鍔部材を給水口部に取り付けてしまうことがなく、凹部が設けられた鍔部材の取り付け作業を正確に行えるようにすることができる。
【００１７】
【発明の実施の形態】
次に、本発明の給水ホースワンタッチ接続構造の鍔部材の取付構造の実施の形態を、図を参考にして詳細に説明する。図１に示すように、この取付構造１０は、洗濯機に給水するために洗面室の壁面等に設置される単水栓１に鍔部材５０を取り付けるためのものである。なお、本発明の適用される水栓は、単水栓のみならず湯水混合水栓、浄水器付き水栓等種々の水栓に適用することができる。また、本発明の給水ホースは、洗濯機や種々の水栓部品に接続される給水ホースいう。
【００１８】
給水ホース２０は、図示しない洗濯機に他端が接続されて、単水栓１から洗濯機に水を供給するために用いられるものであり、その先端には、略円筒状の本体２３を備えた合成樹脂製の継手２２が取り付けられている。継手２２は、給水ホース２０の先端の端末開口部にその本体２３が螺着されて取り付けられている。また、継手２２の先端開口部２４内周面には、複数個のロックボール２５が周設されている。
【００１９】
本体２３の外周面には安全レバー２６が本体２３と一体的に形成されている。安全レバー２６には、本体２３から立設される基体部２８と、この基体部２８先端から、本体２３先端方向で本体２３の軸心方向に向かって斜めに傾斜して連設される係止片３０と、係止片３０の先端にかぎ状に本体２３の軸心方向に向けて突設される爪３２とが備えられている。基体部２８は、本体２３先端方向を中心とした円弧状に形成されると共に、本体２３軸心方向に沿って僅かに弾性変形可能に設けられている。また、基体部２８の後方には、係止片３０の後方寄りから本体２３外周面方向に向かって基体部２８に沿うように規制片３４が突設されており、基体部２８が本体２３の奥端方向に大きく弾性変形しようとする場合に基体部２８に当接して、基体部２８が必要以上に変形しないように構成されている。
【００２０】
単水栓１に回動自在に取り付けられる給水口部４０は、若干湾曲された円筒状に形成されており、単水栓１の本体に対して回動させることにより、その先端部を適宜の方向に可変可能に設けられている。給水口部４０には、その先端寄りに、給水ホース２０が接続された際に上記した継手２２のロックボール２５が嵌合可能なロック溝４２が周設されている。また、図１及び図２に示すように、このロック溝４２よりも奥側の給水口部４０外周面には、後述するプッシュナット６４が収容される凹部４４が周設されており、この凹部４４の一部を為す給水口部４０先端側の段部状の係止部４５によりプッシュナット６４の係止爪６８が係止される。後述するように、この係止部４５は給水口部４０にはめ込まれた鍔部材５０とこの係止部４５との間にプッシュナット６４が嵌合される位置に設けられている。
【００２１】
図２に示すように、凹部４４よりもさらに奥側の給水口部４０外周面には、鍔部材５０が当接されて給水口部４０奥側への移動を規制される段部状の当接部４６が設けられており、この当接部４６がプッシュナット６４と供働して、給水口部４０先端側から挿通された鍔部材５０の位置決めを行い、鍔部材５０は当接部４６より給水口部４０先端側に連接される取付部４８周りに取り付けられることとなる。
【００２２】
鍔部材５０は、図２及び図３に示すように略円盤状に形成されており、その中心には給水口部４０が挿通可能で、その周縁部が当接部４０に当接可能な内径に設けられた挿通孔５２が設けられている。また、挿通孔５２の内径は取付部４８の外径とほぼ同一に設けられ、がたつきなどを生じずに取付部４８に安定的に取り付けられている。鍔部材５０の一側面（本例においては給水口部４０に正規の向きで取り付けられた際の給水口部４０先端側の面）には、プッシュナット６４を収容可能な内径の円形状の凹部５４が設けられている。凹部５４はプッシュナット６４が埋没するのに十分な深さを有しており、給水ホース２０が給水口部４０に接続される際に、継手２２の開口部が、凹部５４の周縁部に当接して、プッシュナット６４には干渉しないように設けられている。
【００２３】
鍔部材５０の、凹部５４が設けられる側と反対側の挿通孔５２周縁部には、突設部５６が周設されている。突設部５６は挿通孔５２に沿って円提状に突設されており、その内径は、当接部５６を収容可能でありほぼ当接部５６と同一に形成され、なおかつ、後述するプッシュナット６４の外周部とほぼ同じ径に設けられて、突設部５６の内側にはプッシュナット６４が収容不能に設けられ、またプッシュナット６４の内側にも突設部５６が収容不能に設けられて、プッシュナット６４には干渉する大きさに設けられている。
【００２４】
鍔部材５０の外周部５８は当接部４６によって位置決めされた状態で、給水ホース２０が給水口部４０に接続されてロックボール２５が給水口部４０のロック溝４２に嵌合する際に、同時に安全レバーの爪３２が係止される位置となるように形成されている。また、外周部５８は、給水口部４０先端側はＲ面取り加工が施された案内部６０が形成されており、一方、給水口部４０奥端側はほぼ角度９０度に形成された角部６２が形成されている。このように案内部６０・角部６２を形成することにより、安全レバー２６が案内部６０に沿って鍔部材５０の外周部５８を乗り越えやすくするとともに、乗り越えた後には角部６２により爪３２が外周部５８に確実に係止されるように設けられている。なお、案内部６０はＲ面取り加工を施す場合に限らず、鈍角に形成することとしてもよい。また、鍔部材５０の給水口部４０奥端部側は、図８、図９に示すような出っ張り部６２１、６２２を設けることにより、安全レバー２６の爪３２は外れにくくなり、外周部５８に確実に係止される。
【００２５】
このプッシュナット６４はＣＳ形止め輪と呼ばれるものであり、給水口部４０が挿通される挿通孔６６が設けられ、この挿通孔６６内方に向かってプッシュナット６４の一側面側に斜めに突設された係止爪６８が挿通孔６６にほぼ均等に６つ突設されている。各係止爪６８の先端を結ぶ仮想円の内径は給水口部４０の凹部５４の外径よりも僅かに小さく形成されており、給水口部４０への取付の際には係止爪６８が撓み、係止部４５に係止されると共に凹部４４外周面に食い込んでプッシュナット６４を給水口部４０に安定的に係止する。
【００２６】
次いで、この鍔部材５０の給水口部４０への取付方法について説明する。図２に示すように、まず鍔部材５０をその突設部５６を奥側にして給水口部４０の先端から挿通する。鍔部材５０を挿通していくと挿通孔５２の周縁部が給水口部４０の当接部４６に当接されて、鍔部材５０の位置決めがなされる。ここで、当接部４６は突設部５６より小径に形成されているので、当接部４６と突設部５６は干渉しない。次いで、給水口部４０の先端からプッシュナット６４をその係止爪６８の先端が給水口部４０先端側に位置する向きに挿通する。プッシュナット６４を挿通していくと、ロック溝４２を通過して凹部４４に至り、係止爪６８が係止部４５に係止されるとともに、当接部４６に当接した状態の鍔部材５０と係止部４５との間にプッシュナット６４が嵌合されて、プッシュナット６４及び鍔部材５０が給水口部４０に確実・安定的に取り付けられる。このように、給水口部４０軸心方向におけるプッシュナット６４の取り付け位置を見極めるなどの必要はなく、単にプッシュナット６４を押し込んでいくだけで鍔部材５０の取り付けを極めて容易に行うことができる。また、プッシュナット６４の係止爪６８が係止部４５に係止されることにより、取り付け作業の完了を確認することができるので、取り付け作業の効率化を図ることができる。さらに、プッシュナット自体にも抜け止めの効果はあるが、本発明には、プッシュナット６４の係止爪６８が係止部４５に係止されるので、抜け止めの効果はさらに向上し、抜け止め効果の耐久性も向上する。
【００２７】
この取付の際に、図２に示すように、鍔部材５０を正しい向きに取り付けた場合には、給水口部４０の当接部４６は突設部５６の内側に収まり、鍔部材５０の表側面と係止部４５との間には、プッシュナット６４が嵌合するのに適当な隙間が生ずる。一方、鍔部材５０の取付方向を裏表逆にして取り付けてしまった場合には、図４に示すように、鍔部材５０の突設部５６が給水口部４０先端側に位置することとなる。ここで突設部５６は、プッシュナット６４の外径とほぼ同一に形成されているのでプッシュナット６４に干渉し、係止部４５と鍔部材５０との間にプッシュナット６４が嵌合し得る隙間を生じないこととなる。よって、作業者はプッシュナット６４を給水口部４０に取り付けることができないので、鍔部材５０の取り付け方向が間違っていることを極めて容易に知ることができる。このようにして、外周部５８の一方面に案内部６０、他方面に角部６２を設けて非対称に形成されている鍔部材５０の取り付け方向を間違えることがないようにして取り付け作業の作業性を向上させている。なお、図２及び図３に示すように、鍔部材５０にはその一側面にのみ凹部５４が設けられており、鍔部材５０が間違った方向に取り付けられると凹部５４にプッシュナット６４を収容することができなくなり、また、外周部５８の位置が異なってしまうために安全レバー２６を外周部５８に係止することができなくなるので、上記のように外周部５８に案内部６０・角部６２を形成していないが、このような凹部５４のみを設けた鍔部材についても、このような突設部が有効である。
【００２８】
なお突設部５６は、上記したように円提状に設けることに限られず、例えば図７に示すように挿通孔５２に沿って歯車状に間隔をおいて突設した複数の突起状に形成されたものとすることもできる。
【００２９】
また、突設部５６は鍔部材５０の給水口部４０奥側に設けることに限られず、図５、図６に示すように、給水口部４０の先端側に設けてもよい。本例では、突設部５６は、上記した例とは逆に、鍔部材５０の給水口部４０先端側の挿通孔５２周縁部に設けられている。この突設部５６は、プッシュナット６４の係止爪４５裏側に収まる高さに設けられており、図５に示すように、鍔部材５１が正しい向きに取り付けられている場合にはプッシュナット６４に干渉することなく、鍔部材５１と係止部４５との間にプッシュナット６４が嵌合するように設けられている。一方、図６に示すように、鍔部材５０の取り付け方向を裏表逆にして取り付けてしまった場合、突設部５６は当接部４６と干渉する径に設けられているので、鍔部材５０は正規の位置から給水口部４０先端側に位置ずれを起こし、鍔部材５０と係止部４５との隙間が小さくなりプッシュナット６４が両者の間に嵌合できないこととなる。
【００３０】
このように鍔部材５０が取り付けられた給水口部４０に、給水ホース２０は次のように接続される。給水ホース２０の継手２２を、給水口部４０先端に挿通するように押し込んでいくと係止片３０の爪３２が鍔部材５０の外周部５８に当接し、さらに継手２２を押し込むと安全レバー２６の基体部２８が後方に撓みながら爪３２が外周部５８を乗り越えようとする。この際に、外周部５８の給水口部４０先端側には案内部３０が形成されているので、爪３２は外周部５８を円滑に乗り越えることができる。爪３２が外周部５８を乗り越えると爪３２は角部６２に係止される。これと同時に、継手２２のロックボール２５が給水口部４０のロック溝４２に嵌合する。このようにして給水口部４０と給水ホース２０との接続が完了する。
【００３１】
【発明の効果】
本発明は上記のようにプッシュナットを用いて給水口部に鍔部材を取り付けるので、鍔部材を固定する部材であるプッシュナットの位置決めを正確に行う必要がなく、単にプッシュナットを給水口部に挿通していくだけでその取り付け作業を極めて簡便に行うことができる。また、特に請求項２に記載の取付構造では、鍔部材外周面に案内部を設けることにより、水栓の給水口部への給水ホースの接続を一層容易に行うことができ、給水ホースの接続作業を容易に行うこともできる。また、請求項３に記載の取付構造や請求項４に記載の取付構造では、突設部によって鍔部材の正しい取り付け方向を極めて容易に知ることができ、取り付け作業の作業性を向上させることができる。
【図面の簡単な説明】
【図１】給水ホースと給水口部の一部断面図である。
【図２】取付構造の要部拡大断面図である。
【図３】取付構造の分解斜視図である。
【図４】鍔部材を逆に取り付けた際の取付構造の要部拡大断面図である。
【図５】別の取付構造の要部拡大断面図である。
【図６】鍔部材を逆に取り付けた際の別の取付構造の要部拡大断面図である。
【図７】さらに別の取付構造の分解斜視図である。
【図８】別の鍔部材の外周部の断面図である。
【図９】別の鍔部材の外周部の断面図である。
【図１０】従来の取付構造の断面図である。
【符号の説明】
１；単水栓、１０；取付構造、２０；給水ホース、２２；継手、２３；本体、２４；開口部、２５；ロックボール、２６；安全レバー、２８；基体部、３０；係止片、３２；爪、３４；規制片、４０；給水口部、４２；ロック溝、４４；凹部、４５；係止部、４６；当接部、５０；鍔部材、５２；挿通孔、５４；凹部、５６；突設部、５８；外周部、６０；案内部、６２；角部、６４；プッシュナット、６６；挿通孔、６８；係止爪、７０；鍔部材、７１；給水口部、７２；水栓本体、７４；袋ナット、７５；当接部、７６；割りリング、７７；環状溝、７８；外周部、８０；取付構造、６２１，６２２；出っ張り部。
【図１】
2004300830.tif 000003
【図２】
2004300830.tif 000004
【図３】
2004300830.tif 000005
【図４】
2004300830.tif 000006
【図５】
2004300830.tif 000007
【図６】
2004300830.tif 000008
【図７】
2004300830.tif 000009
【図８】
2004300830.tif 000010
【図９】
2004300830.tif 000011
【図１０】
2004300830.tif 000012